(57)【要約】      （修正有）【課題】荷崩れ防止バンドを段積みされた荷箱に巻き付けて固定するための作業者の労力と時間及び段積みされた荷箱に巻いて固定された荷崩れ防止バンドを外すための作業者の労力と時間とが軽減できるワンタッチタイプの荷崩れ防止具を提供する。【解決手段】２つの桁材Ａ、Ｂと梁材ＡＢからなり、梁材ＡＢにより架橋固定される崩れ防止具において、桁材Ａ、Ｂが、最上段の荷箱１０の辺板１０ａと最上段の荷箱２０の辺板２０ｂを挟むようにして最上段の荷箱にワンタッチで設置することを特徴とする。【選択図】図５
0003154702.tif 000002
【実用新案登録請求の範囲】
【請求項１】
２つの桁材（Ａ）、（Ｂ）と梁材（ＡＢ）からなり、梁材（ＡＢ）により架橋固定される崩れ防止具において、桁材（Ａ）、（Ｂ）が、最上段の荷箱（１０）の辺板（１０ａ）と最上段の荷箱（２０）の辺板（２０ｂ）を挟むようにして最上段の荷箱にワンタッチで設置することを特徴とする荷崩れ防止具。
【請求項２】
桁材（Ａ）、（Ｂ）が直方体であって、  桁材（Ａ）、（Ｂ）の垂直面（Ｓａ）と垂直面（Ｓｂ）が相互に平行であることを特徴とする請求項１に記載された荷崩れ防止具。
【請求項３】
最上段の荷箱（１０）の辺板（１０ａ）と最上段の荷箱（２０）の辺板（２０ｂ）は相接触するように段積みされることを特徴とする請求項１〜２の何れかに記載された荷崩れ防止具。
【請求項４】
梁材（ＡＢ）が、梁材（ＡＢ１）と梁材（ＡＢ２）の２つの板材から構成され、梁材（ＡＢ１）と梁材（ＡＢ２）の長手方向と  桁材（Ａ）、（Ｂ）の垂直面（Ｓａ）と垂直面（Ｓｂ）とが、直交するように構成されたことを特徴とする請求項１〜３の何れかに記載された荷崩れ防止具。
【請求項５】
３つの桁材（Ａ）、（Ｂ）、（Ｃ）と梁材（ＡＢＣ）からなり、桁材（Ａ）と桁材（Ｂ）、（Ｃ）が、最上段の荷箱（１０）の辺板（１０ａ）、最上段の荷箱（２０）の辺板（２０ｂ）、及び最上段の荷箱（３０）の辺板（３０ｃ）を挟むようにし、さらに、桁材（Ｂ）、（Ｃ）が、最上段の荷箱（２０）の辺板（２０ｂ）と最上段の荷箱（３０）の辺板（３０ｃ）を挟むようにして最上段の荷箱にワンタッチで設置することを特徴とする荷崩れ防止具。
【請求項６】
桁材（Ａ）、（Ｂ）、（Ｃ）が直方体であって、桁材（Ｂ）、（Ｃ）の垂直面（Ｓｂ）と垂直面（Ｓｃ）が相互に平行又は直交していると共に、桁材（Ａ）の垂直面（Ｓａ）と、桁材（Ｂ）、（Ｃ）の垂直面（Ｓｂ）と垂直面（Ｓｃ）が平行又は直交していることを特徴とする請求項５に記載された荷崩れ防止具。
【請求項７】
最上段の荷箱（１０）の辺板（１０ａ）、最上段の荷箱（２０）の辺板（２０ｂ）、及び最上段の荷箱（３０）の辺板（３０ｃ）は相接触すると共に、最上段の荷箱（２０）の辺板（２０ｂ）と最上段の荷箱（３０）の辺板（３０ｃ）も相接触することを特徴とする請求項５〜６の何れかに記載された荷崩れ防止具。
【請求項８】
梁材（ＡＢＣ）が、梁材（ＡＢＣ１）、梁材（ＡＢ２）、梁材（ＡＢ３）の３つの板材から構成され、梁材（ＡＢＣ１）と梁材（ＡＢ２）の長手方向と桁材（Ａ）の垂直面（Ｓａ）とが直交すると共に、
梁材（ＡＢ３）の長手方向と桁材（Ａ）の垂直面（Ｓａ）とが、平行になるように構成されたことを特徴とする請求項５〜７の何れかに記載された荷崩れ防止具。
【請求項９】
梁材（ＡＢＣ１）と梁材（ＡＢ２）の長手方向と桁材（Ｂ）、（Ｃ）の垂直面（Ｓｂ）と垂直面（Ｓｃ）が平行又は直交していると共に、
梁材（ＡＢ３）の長手方向と桁材（Ｂ）、（Ｃ）の垂直面（Ｓｂ）と垂直面（Ｓｃ）が平行又は直交していることを特徴とする請求項８に記載された荷崩れ防止具。
【考案の詳細な説明】
【技術分野】
【０００１】
本考案は、荷崩れ防止具に関する。
より詳しくは、荷役用パレット又は台車等に段積みされた荷箱が、移送時における振動、衝撃等による床面への落下を防止する荷崩れ防止具に関する。
より詳しくは、さらに、高さ寸法、形状等が異なる各種積荷に対応可能な汎用性ある荷崩れ防止具に関する。
【背景技術】
【０００２】
従来、荷役用パレット、台車等に段積みされた荷物の荷崩れを防止するためには段積みされた荷物の外周面に、長尺の荷崩れ防止バンドを水平方向に複数周巻回することが行われていた。
多数の荷崩れ防止用バンドが提案されている。
例えば、特開２００４−３３１１３０（特許文献１）、実用新案登録３１２９９８５（特許文献２）及び実用新案登録３１１６１６９（特許文献３）等が開示されている。
特許文献１は、段積み荷物に巻き付け固定するための荷崩れ防止バンドを提供するとし、その解決手段は、帯状の巻き付け部と、第１端部に取り付けられる第１取っ手ロッドと、通し孔と、第２端部に取り付けられる支持ロッドと、第２端部中央から延在する幅狭のバンド固定部と、バンド固定部の端部に取り付けられる第２取っ手ロッドと、バンド固定部の片面上に設けた第１面ファスナ及び端部に設けた第２面ファスナとを有し、バンド固定部を通し孔に通し折り返して第１と第２の面ファスナを接合させる、ことを特徴としている。
特許文献２は、運搬物をベルト本体で巻回するに際し、ベルト本体全体に均等に引っ張り力が更に加わるようにすることを課題とし、その解決手段は、運搬用パレット上に段積み状に積載した運搬物周囲を巻回して当該運搬物の荷崩れを防止する当該ベルト本体に、
運搬物に対する巻回力を更に引き締め可能とする引き締め手段を設け、該引き締め手段は、ベルト本体に対する中央縫着部分の一方の端部を折り返し可能な自由端部とし、表面には長手方向に沿って面ファスナーを布設して成る引き締めバンドと、引き締めバンドの自由端部に対向してベルト本体に連結し、自由端部を挿通し折り返してから引き締めバンド自体の面ファスナー本体部に接合可能とした挿通環とから成る、ことを特徴としている。
特許文献３は、簡易で反復使用出来る荷崩れ防止カバーを提供するとし、その解決手段は、荷崩れ防止カバーの胴巻き布に全方向引張り荷重に強い四軸織物叉は二軸織物二枚を互いに４５度かたむけて縫着した物を使用し、積載荷物に引掛ける三角形の布を荷の長方形上面の角に縫着し、長方形の各角に縦方向に補強布を設け、締付け帯、締付け保持帯の各々にマジックファスナ−（登録商標）を設け胴巻き布に相対するように複数平行に縫着し、長方形の各垂直面に透明なポケットを設け荷の内容物が表示出来るようにした。また使用後は折り畳んで収納が容易に出来るようにした、ことを特徴としている。
【特許文献１】特開２００４−３３１１３０号公報
【特許文献２】実用新案登録第３１２９９８５号
【特許文献３】実用新案登録第３１１６１６９号
【考案の開示】
【考案が解決しようとする課題】
【０００３】
しかし、工場又は倉庫等においては、荷役用パレット等上に積載される積荷は箱状のものが多く、箱状の積荷（荷箱）に対して上記特許文献に記載のベルト形態の荷崩れ防止具を使用すると、規格外の積荷箱の場合は、荷姿（積荷の形状による、外周長さ、高さ寸法等）は、種々異ってくるので現場作業者は、その都度、メジャー等で各寸法を計測し、その荷姿に適合するサイズの荷崩れ防止用バンドを選択しなければならない、いわゆるオーダーメード方式であるために、従来技術及び市販製品は不経済であり、かつ円滑な搬送作業が進められないという不都合も指摘されていた。
また、段積み荷物に巻き付け固定するために荷崩れ防止バンドを用いると、荷崩れ防止バンドを段積み荷物に巻き付け固定するための作業者の労力と時間とが掛かってしまうという欠点が生じていた。
さらに、段積み荷物を荷役用パレット等上から下ろすに際しては、巻き付け固定された荷崩れ防止バンドを外すための作業者の労力と時間とが掛かってしまうという欠点が生じていた。
すなわち、従来の荷崩れ防止バンドは、荷崩れ防止バンドを段積み荷物に巻き付け固定するために掛かる運搬前に作業者の労力と時間作業者の労力と時間と、荷崩れ防止バンドを外すために運搬後に掛かる作業者の労力とが掛かってしまうという欠点が生じていた。
さらに、従来の荷崩れ防止バンドには、荷崩れ防止バンドを段積み荷物に巻き付け固定したり、段積みされた荷箱に巻いて固定された荷崩れ防止バンドを外すためには、段積み荷物を段積みした荷役用パレット等の周辺にかなりの作業スペースが必要であるという欠点が生じていた。
＊＊＊＊＊＊＊＊＊＊＊＊＊＊＊＊＊＊＊＊＊＊＊＊＊＊＊＊＊＊＊＊＊＊＊
○本考案が解決しようとする第１課題
本考案が解決しようとする第１課題は、荷崩れ防止バンドを段積みされた荷箱に巻き付けて固定するための作業者の労力と時間及び段積みされた荷箱に巻いて固定された荷崩れ防止バンドを外すための作業者の労力と時間とが軽減できるワンタッチタイプの荷崩れ防止具を提供することである。
○本考案が解決しようとする第２課題
本考案が解決しようとする第２課題は、荷崩れ防止バンドを段積み荷物に巻き付け固定したり、段積みされた荷箱に巻いて固定された荷崩れ防止バンドを外したりするために、段積み荷物を段積みした荷役用パレット等の周辺に必要となる作業スペースを縮減できる荷崩れ防止具を提供することである。
○本考案が解決しようとする第３課題
本考案が解決しようとする第３課題は、段の荷箱１０の辺板１０ａ、最上段の荷箱２０の辺板２０ｂ、及び最上段の荷箱３０の辺板３０ｃが、三叉路のように交差するように段積みされた荷箱に対しても、作業者の労力と時間とが軽減できるワンタッチタイプの荷崩れ防止具を提供することである。
○本考案が解決しようとする第４課題
本考案が解決しようとする第４課題は、段の荷箱１０の辺板１０ａ、最上段の荷箱２０の辺板２０ｂ、及び最上段の荷箱３０の辺板３０ｃが、三叉路のように交差するように段積みされた荷箱に対しても、荷崩れ防止バンドを段積み荷物に巻き付け固定したり、段積みされた荷箱に巻いて固定された荷崩れ防止バンドを外したりするために、段積み荷物を段積みした荷役用パレット等の周辺に必要となる作業スペースを縮減できる荷崩れ防止具を提供することである。
【課題を解決するための手段】
【０００４】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○桁材とは、本願明細書では、最上段の荷箱の辺板が移動するのを力学的に拘束して段積みされた荷箱の荷崩れ防止の効果を奏するための主部材をいう。
○梁材とは、桁材を架橋して固定するための水平材（副部材）をいう。
○荷箱とは、荷物を収納するための箱をいう。本願では、段積みをすることができる荷箱をいう。
○最上段の荷箱とは、段積みされた複数の荷箱のうち最上段の荷箱をいう。
○箱とは、本明細書では、運搬時には蓋のない直方体か立方体の容器をいう。
すなわち、箱は、本明細書では、底板と４つの辺板から構成されている。
直方体である箱の場合、箱は、底板と２つの長辺板及び２つの短辺板から構成されている。
○直方体とは、２つの正方形と４つの長方形、又は六つの長方形で囲まれ、隣り合う面がすべて垂直になっている立体をいう。隣り合う面がすべて板材であって直方体が中空になっている場合、あるいは中実である場合も含まれる。
○桁材の垂直面とは、最上段の荷箱の辺板が移動するのを力学的に拘束するための垂直面を言う。
○垂直面とは、桁材の面のうち、重力方向に平行な、上面、下面でない面をいう。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
本考案者は、上記の従来の設置アンカーボルトが撤去されないことの各種問題点に鑑み、鋭意検討を重ねて、本考案を完成したものである。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
２つの桁材Ａ、Ｂと梁材ＡＢからなり、梁材ＡＢにより架橋固定される崩れ防止具において、桁材Ａ、Ｂが、最上段の荷箱１０の辺板１０ａと最上段の荷箱２０の辺板２０ｂを挟むようにして最上段の荷箱にワンタッチで設置することを特徴とする荷崩れ防止具である。
○第２の考案（請求項２に記載の考案）
上記の課題を解決するための第２の考案（請求項２に記載の考案）は、
桁材Ａ、Ｂが直方体であって、桁材Ａ、Ｂの垂直面Ｓａと垂直面Ｓｂが相互に平行であることを特徴とする請求項１に記載された荷崩れ防止具である。
○第３の考案（請求項３に記載の考案）
上記の課題を解決するための第３の考案（請求項３に記載の考案）は、
最上段の荷箱１０の辺板１０ａと最上段の荷箱２０の辺板２０ｂは相接触するように段積みされることを特徴とする請求項１〜２の何れかに記載された荷崩れ防止具である。
○第４の考案（請求項４に記載の考案）
上記の課題を解決するための第４の考案（請求項４に記載の考案）は、
梁材ＡＢが、梁材ＡＢ１と梁材ＡＢ２の２つの板材から構成され、梁材ＡＢ１と梁材ＡＢ２の長手方向と  桁材Ａ、Ｂの垂直面Ｓａと垂直面Ｓｂとが、直交するように構成されたことを特徴とする請求項１〜３の何れかに記載された荷崩れ防止具である。
○第５の考案（請求項５に記載の考案）
上記の課題を解決するための第５の考案（請求項５に記載の考案）は、
３つの桁材Ａ、Ｂ、Ｃと梁材ＡＢＣからなり、桁材Ａと桁材Ｂ、Ｃが、最上段の荷箱１０の辺板１０ａ、最上段の荷箱２０の辺板２０ｂ、及び最上段の荷箱３０の辺板３０ｃを挟むようにし、さらに、桁材Ｂ、Ｃが、最上段の荷箱２０の辺板２０ｂと最上段の荷箱３０の辺板３０ｃを挟むようにして最上段の荷箱にワンタッチで設置することを特徴とする荷崩れ防止具である。
○第６の考案（請求項６に記載の考案）
上記の課題を解決するための第６の考案（請求項６に記載の考案）は、
桁材Ａ、Ｂ、Ｃが直方体であって、桁材Ｂ、Ｃの垂直面Ｓｂと垂直面Ｓｃが相互に平行又は直交していると共に、桁材Ａの垂直面Ｓａと、桁材Ｂ、Ｃの垂直面Ｓｂと垂直面Ｓｃが平行又は直交していることを特徴とする請求項５に記載された荷崩れ防止具である。
○第７の考案（請求項７に記載の考案）
上記の課題を解決するための第７の考案（請求項７に記載の考案）は、
最上段の荷箱１０の辺板１０ａ、最上段の荷箱２０の辺板２０ｂ、及び最上段の荷箱３０の辺板３０ｃは相接触すると共に、最上段の荷箱２０の辺板２０ｂと最上段の荷箱３０の辺板３０ｃも相接触することを特徴とする請求項５〜６の何れかに記載された荷崩れ防止具である。
○第８の考案（請求項８に記載の考案）
上記の課題を解決するための第８の考案（請求項８に記載の考案）は、
梁材ＡＢＣが、梁材ＡＢＣ１、梁材ＡＢＣ２、梁材ＡＢＣ３の３つの板材から構成され、梁材ＡＢＣ１と梁材ＡＢＣ２の長手方向と桁材Ａの垂直面Ｓａとが直交すると共に、
梁材ＡＢＣ３の長手方向と桁材Ａの垂直面Ｓａとが、平行になるように構成されたことを特徴とする請求項５〜７の何れかに記載された荷崩れ防止具である。
○第９の考案（請求項９に記載の考案）
上記の課題を解決するための第９の考案（請求項９に記載の考案）は、
梁材ＡＢＣ１と梁材ＡＢＣ２の長手方向と桁材Ｂ、Ｃの垂直面Ｓｂと垂直面Ｓｃが平行又は直交していると共に、
梁材ＡＢＣ３の長手方向と桁材Ｂ、Ｃの垂直面Ｓｂと垂直面Ｓｃが平行又は直交していることを特徴とする請求項８に記載された荷崩れ防止具である。
【考案の効果】
【０００５】
本考案に係る、荷崩れ防止用具は、上記のような特徴的構成用件から構成され、特徴的構成用件に応じた、以下のような本願考案特有の効果を奏する。
また、上記のような特徴的構成用件から構成された荷崩れ防止用具によれば、本願考案の課題を十分解消することができた。
○第１の考案の効果
第１の考案によれば、
２つの桁材Ａ、Ｂと梁材ＡＢからなり、梁材ＡＢにより架橋固定される崩れ防止具において、桁材Ａ、Ｂが、最上段の荷箱１０の辺板１０ａと最上段の荷箱２０の辺板２０ｂを挟むようにして最上段の荷箱にワンタッチで設置するという特徴的な構成要件により、
本考案が解決しようとする第１課題〜第２課題を達成することができ、当業者予測不可能な顕著な効果を奏することができた。
○第２の考案の効果
第２の考案によれば、桁材Ａ、Ｂが直方体であって、  桁材Ａ、Ｂの垂直面Ｓａと垂直面Ｓｂが相互に平行であるこという特徴的な構成要件により、
本考案が解決しようとする第１課題〜第２課題を達成することができ、当業者予測不可能な顕著な効果を奏することができた。
○第３の考案の効果
第３の考案によれば、最上段の荷箱１０の辺板１０ａと最上段の荷箱２０の辺板２０ｂは相接触するように段積みされるという特徴的構成要件により、
本考案が解決しようとする第１課題〜第２課題を達成することができ、当業者予測不可能な顕著な効果を奏することができた。
○第４の考案の効果
第４の考案によれば、梁材ＡＢが、梁材ＡＢ１と梁材ＡＢ２の２つの板材から構成され、梁材ＡＢ１と梁材ＡＢ２の長手方向と  桁材Ａ、Ｂの垂直面Ｓａと垂直面Ｓｂとが、直交するように構成されたという特徴的構成要件により、
本考案が解決しようとする第１課題〜第２課題を達成することができ、当業者予測不可能な顕著な効果を奏することができた。
○第５の考案の効果
第５の考案によれば、
３つの桁材Ａ、Ｂ、Ｃと梁材ＡＢＣからなり、桁材Ａと桁材Ｂ、Ｃが、最上段の荷箱１０の辺板１０ａ、最上段の荷箱２０の辺板２０ｂ、及び最上段の荷箱３０の辺板３０ｃを挟むようにし、さらに、桁材Ｂ、Ｃが、最上段の荷箱２０の辺板２０ｂと最上段の荷箱３０の辺板３０ｃを挟むようにして最上段の荷箱にワンタッチで設置するという特徴的構成要件により、
本考案が解決しようとする第３課題〜第４課題を達成することができ、当業者予測不可能な顕著な効果を奏することができた。
○第６の考案の効果
第６の考案によれば、桁材Ａ、Ｂ、Ｃが直方体であって、桁材Ｂ、Ｃの垂直面Ｓｂと垂直面Ｓｃが相互に平行又は直交していると共に、桁材Ａの垂直面Ｓａと、桁材Ｂ、Ｃの垂直面Ｓｂと垂直面Ｓｃが平行又は直交しているという特徴的構成要件とすることにより、
本考案が解決しようとする第３課題〜第４課題を達成することができ、当業者予測不可能な顕著な効果を奏することができた。
○第７の考案の効果
第７の考案によれば、最上段の荷箱１０の辺板１０ａ、最上段の荷箱２０の辺板２０ｂ、及び最上段の荷箱３０の辺板３０ｃは相接触すると共に、最上段の荷箱２０の辺板２０ｂと最上段の荷箱３０の辺板３０ｃも相接触するという特徴的構成要件により、
本考案が解決しようとする第３課題〜第４課題を達成することができ、当業者予測不可能な顕著な効果を奏することができた。
○第８の考案の効果
第８の考案によれば、梁材ＡＢＣが、梁材ＡＢＣ１、梁材ＡＢＣ２、梁材ＡＢＣ３の３つの板材から構成され、梁材ＡＢＣ１と梁材ＡＢＣ２の長手方向と桁材Ａの垂直面Ｓａとが直交すると共に、
梁材ＡＢＣ３の長手方向と桁材Ａの垂直面Ｓａとが、平行になるように構成されるという特徴的構成要件により、
本本考案が解決しようとする第３課題〜第４課題を達成することができ、当業者予測不可能な顕著な効果を奏することができた。
○第９の考案の効果
第９の考案によれば、梁材ＡＢＣ１と梁材ＡＢＣ２の長手方向と桁材Ｂ、Ｃの垂直面Ｓｂと垂直面Ｓｃが平行又は直交していると共に、
梁材ＡＢＣ３の長手方向と桁材Ｂ、Ｃの垂直面Ｓｂと垂直面Ｓｃが平行又は直交しているという特徴的構成要件により、
本本考案が解決しようとする第３課題〜第４課題を達成することができ、当業者予測不可能な顕著な効果を奏することができた。
【考案を実施するための最良の形態】
【０００６】
以下、本考案に係る、荷崩れ防止具に関する最良の実施形態について、図面を参照しながら説明する。
図１は、本考案に係る、第１実施形態の荷崩れ防止具の斜視図である。
図２は、本考案に係る、第１実施形態の荷崩れ防止具の平面図、正面図、右側面図である。
図２（ａ）は、本考案に係る、第１実施形態の荷崩れ防止具の平面図である。
図２（ｂ）は、本考案に係る、第１実施形態の荷崩れ防止具の正面図である。
図２（ｃ）は、本考案に係る、第１実施形態の荷崩れ防止具の右側面図である。
図３は、本考案に係る、第２実施形態の荷崩れ防止具の斜視図である。
図４は、本考案に係る、第２実施形態の荷崩れ防止具の平面図、正面図、右側面図である。
図４（ａ）は、本考案に係る、第２実施形態の荷崩れ防止具の平面図である。
図４（ｂ）は、本考案に係る、第２実施形態の荷崩れ防止具の正面図である。
図４（ｃ）は、本考案に係る、第２実施形態の荷崩れ防止具の右側面図である。
図５は、本考案に係る、第１実施形態の荷崩れ防止具の設置図である。
図６は、本考案に係る、第２実施形態の荷崩れ防止具の設置図である。
図７は、本考案に係る、第１実施形態の他の荷崩れ防止具の設置図である。
＊＊＊＊＊＊＊＊＊＊＊＊＊＊＊＊＊＊＊＊＊＊＊＊＊＊＊＊＊＊＊＊＊＊＊
＜第１実施形態の荷崩れ防止具＞
以下、本考案に係る、第１実施形態の荷崩れ防止具について、図１、図２、図５を参照しながら説明する。
荷崩れ防止具１００は、２つの桁材Ａ、Ｂと梁材ＡＢからなり、梁材ＡＢにより架橋固定されている。
上記荷崩れ防止具１００において、桁材Ａ、Ｂが、最上段の荷箱１０の辺板１０ａと最上段の荷箱２０の辺板２０ｂを挟むようにして、最上段の荷箱にワンタッチで設置される。
＊＊＊＊＊＊＊＊＊＊＊＊＊＊＊＊＊＊＊＊＊＊＊＊＊＊＊＊＊＊＊＊＊＊＊
上記荷崩れ防止具において、桁材Ａ、Ｂは、直方体である。
上記桁材Ａ、Ｂの垂直面Ｓａと垂直面Ｓｂは、相互に平行である。
＊＊＊＊＊＊＊＊＊＊＊＊＊＊＊＊＊＊＊＊＊＊＊＊＊＊＊＊＊＊＊＊＊＊＊
上記荷崩れ防止具において、最上段の荷箱１０の辺板１０ａと最上段の荷箱２０の辺板２０ｂは相接触するように段積みされる。
＊＊＊＊＊＊＊＊＊＊＊＊＊＊＊＊＊＊＊＊＊＊＊＊＊＊＊＊＊＊＊＊＊＊＊
上記荷崩れ防止具において、梁材ＡＢが、梁材ＡＢ１と梁材ＡＢ２の２つの板材から構成され、梁材ＡＢ１と梁材ＡＢ２の長手方向と桁材Ａ、Ｂの垂直面Ｓａと垂直面Ｓｂとが、直交するように構成されたことを特徴とする請求項１〜３の何れかに記載された荷崩れ防止具。
＜第２実施形態の荷崩れ防止具＞
以下、本考案に係る、第２実施形態の荷崩れ防止具について、図３、図４、図６を参照しながら説明する。
荷崩れ防止具２００は、３つの桁材Ａ、Ｂ、Ｃと梁材ＡＢＣからなる。
上記荷崩れ防止具２００において、桁材Ａと桁材Ｂ、Ｃが、最上段の荷箱１０の辺板１０ａ、最上段の荷箱２０の辺板２０ｂ、及び最上段の荷箱３０の辺板３０ｃを挟むようにし、さらに、桁材Ｂ、Ｃが、最上段の荷箱２０の辺板２０ｂと最上段の荷箱３０の辺板３０ｃを挟むようにして最上段の荷箱にワンタッチで設置される。
＊＊＊＊＊＊＊＊＊＊＊＊＊＊＊＊＊＊＊＊＊＊＊＊＊＊＊＊＊＊＊＊＊＊＊
上記荷崩れ防止具２００において、桁材Ａ、Ｂ、Ｃは、直方体である。
上記桁材Ｂ、Ｃの垂直面Ｓｂと垂直面Ｓｃが相互に平行又は直交していると共に、桁材Ａの垂直面Ｓａと、桁材Ｂ、Ｃの垂直面Ｓｂと垂直面Ｓｃが平行又は直交している。
＊＊＊＊＊＊＊＊＊＊＊＊＊＊＊＊＊＊＊＊＊＊＊＊＊＊＊＊＊＊＊＊＊＊＊
上記荷崩れ防止具２００において、最上段の荷箱１０の辺板１０ａ、最上段の荷箱２０の辺板２０ｂ、及び最上段の荷箱３０の辺板３０ｃは相接触すると共に、最上段の荷箱２０の辺板２０ｂ、最上段の荷箱３０の辺板３０ｃも相接触する。
＊＊＊＊＊＊＊＊＊＊＊＊＊＊＊＊＊＊＊＊＊＊＊＊＊＊＊＊＊＊＊＊＊＊＊
上記荷崩れ防止具２００において、梁材ＡＢＣが、梁材ＡＢＣ１、梁材ＡＢＣ２、梁材ＡＢＣ３の３つの板材から構成され、梁材ＡＢＣ１と梁材ＡＢＣ２の長手方向と桁材Ａの垂直面Ｓａとが直交すると共に、
梁材ＡＢＣ３の長手方向と桁材Ａの垂直面Ｓａとが、平行するように構ように構成され。
＊＊＊＊＊＊＊＊＊＊＊＊＊＊＊＊＊＊＊＊＊＊＊＊＊＊＊＊＊＊＊＊＊＊＊
上記荷崩れ防止具２００において、梁材ＡＢＣ１と梁材ＡＢＣ２の長手方向と桁材Ｂ、Ｃの垂直面Ｓｂと垂直面Ｓｃが平行又は直交していると共に、
梁材ＡＢＣ３の長手方向と桁材Ｂ、Ｃの垂直面Ｓｂと垂直面Ｓｃが平行又は直交している。
＊＊＊＊＊＊＊＊＊＊＊＊＊＊＊＊＊＊＊＊＊＊＊＊＊＊＊＊＊＊＊＊＊＊＊
＜第１実施形態の荷崩れ防止具＞では、梁材ＡＢ１と梁材ＡＢ２が等辺山形の形状の場合を開示したが、
図７では、梁材ＡＢ１と梁材ＡＢ２が板材である場合を開示している。
【図面の簡単な説明】
【０００７】
【図１】図１は、本考案に係る、第１実施形態の荷崩れ防止具の斜視図である。
【図２】図２は、本考案に係る、第１実施形態の荷崩れ防止具の平面図、正面図、右側面図である。          図２（ａ）は、本考案に係る、第１実施形態の荷崩れ防止具の平面図である。          図２（ｂ）は、本考案に係る、第１実施形態の荷崩れ防止具の正面図である。          図２（ｃ）は、本考案に係る、第１実施形態の荷崩れ防止具の右側面図である。
【図３】図３は、本考案に係る、第２実施形態の荷崩れ防止具の斜視図である。
【図４】図４は、本考案に係る、第２実施形態の荷崩れ防止具の平面図、正面図、右側面図である。          図４（ａ）は、本考案に係る、第２実施形態の荷崩れ防止具の平面図である。          図４（ｂ）は、本考案に係る、第２実施形態の荷崩れ防止具の正面図である。          図４（ｃ）は、本考案に係る、第２実施形態の荷崩れ防止具の右側面図である。
【図５】図５は、本考案に係る、第１実施形態の荷崩れ防止具の設置図である。
【図６】図６は、本考案に係る、第２実施形態の荷崩れ防止具の設置図である。
【図７】図７は、本考案に係る、第１実施形態の他の荷崩れ防止具の設置図である。
【符号の説明】
【０００８】
１００                      荷崩れ防止具（第１実施形態の荷崩れ防止具）
２００                      荷崩れ防止具（第２実施形態の荷崩れ防止具）
Ａ、Ｂ、Ｃ                  桁材
ＡＢ                        梁材（第１実施形態の梁材）
ＡＢ１、ＡＢ２              梁材（第１実施形態の梁材）
ＡＢＣ                      梁材（第２実施形態の梁材）
ＡＢＣ１、ＡＢＣ２          梁材（第２実施形態の梁材）
ＡＢＣ３                    梁材（第２実施形態の梁材）
１０、２０、３０            最上段の荷箱
１０ａ                      最上段の荷箱１０の辺板  
２０ｂ                      最上段の荷箱２０の辺板
３０ｃ                      最上段の荷箱３０の辺板  
Ｓａ                        桁材Ａの垂直面
Ｓｂ                        桁材Ｂの垂直面
Ｓｃ                        桁材Ｃの垂直面
【図１】
0003154702.tif 000003
【図２】
0003154702.tif 000004
【図３】
0003154702.tif 000005
【図４】
0003154702.tif 000006
【図５】
0003154702.tif 000007
【図６】
0003154702.tif 000008
【図７】
0003154702.tif 000009